【手続補正書】
【提出日】平成20年5月15日(2008.5.15)
【手続補正１】
【補正対象書類名】明細書
【補正対象項目名】特許請求の範囲
【補正方法】変更
【補正の内容】
【特許請求の範囲】
【請求項１】
静電画像を現像する装置であって、
光伝導体のドラムと、
前記光伝導体のドラムに接触し、トナーと硬磁性キャリアの混合物を有する磁気ブラシと
を備えた前記装置。
【請求項２】
静電画像を現像する装置であって、
光伝導体のドラムと、
前記光伝導体のドラムに接触する磁気ブラシであって、前記磁気ブラシはトナーと硬磁性キャリアの混合物を含み、さらに、前記磁気ブラシは、シェル内に回転可能な磁気コアを有する前記磁気ブラシと
を備えた装置。
【請求項３】
静電画像を現像する装置であって、
光伝導体のドラムと、
前記光伝導体のドラムに接触する磁気ブラシであって、前記磁気ブラシはトナーと硬磁性キャリアの混合物を含み、さらに、前記磁気ブラシは、回転可能なシェル内に回転可能な磁気コアを有する前記磁気ブラシと
を備えた装置。
【請求項４】
静電画像を現像する方法であって、
回転の中心を有するシェル内に磁気コアを備える磁気ブラシで、トナーと硬磁性キャリアの混合物を光伝導体のドラムに付着させ、前記磁気コアは、前記回転の中心に対して前記ドラムに向かって偏っている前記方法。
【手続補正２】
【補正対象書類名】明細書
【補正対象項目名】００３２
【補正方法】変更
【補正の内容】
【００３２】
本発明を特定の例示的な実施の形態を参照して記述し説明したが、本発明をこれらの例示的な実施の形態に限定することが目的とされているわけではない。当業者であれば、上記の請求項によって定義される本発明の真の範囲と精神から離れることなく、変形と修正ができることが分かるであろう。したがって、本発明の中には、このようなすべての変形例と修正例も、上記の請求項とその等価物の範囲の中に含まれることが意図されている。
以下に、本発明の好ましい態様を示す。
１．  静電画像を現像する装置であって、
光伝導体のドラムと、
前記光伝導体のドラムに接触し、トナーと硬磁性キャリアの混合物を有する磁気ブラシと
を備えた前記装置。
２．  前記硬磁性キャリアは、１０００ガウスが加えられた場に置かれると、少なくとも３００ガウスの保磁力を有し、少なくとも２０ＥＭＵ／ｇｍの誘導された磁気モーメントを示す上記１に記載の装置。
３．  前記磁気ブラシは、前記ドラムと位置が合わせられる上記１に記載の装置。
４．  前記磁気ブラシは、回転の中心を有するシェル内に磁気コアを備え、前記コアは前記回転の中心が前記ドラムの方向に偏っている上記１に記載の装置。
５．  前記シェルは、前記コアから最も遠い遠地点で前記シェルに隣接するスカイブをさらに備えた上記４に記載の装置。
６．  前記シェルは、近地点で前記コアに最も近く、前記ドラムは回転の方向を有し、前記ドラムは、前記近地点から前記回転の方向と反対方向に偏った位置で前記シェルに最も近い上記４に記載の装置。
７．  前記シェルが前記コアから最も遠い遠地点で前記シェルに隣接するスカイブをさらに備え、
前記シェルは近地点で前記コアに最も近く、前記ドラムは回転の方向を有し、前記ドラムは、前記近地点から前記回転の方向と反対方向に偏った位置で前記シェルに最も近い上記４に記載の装置。
８．  前記シェルは、前記コアから最も遠い遠地点で前記シェルに隣接するスカイブをさらに備え、
前記シェルは近地点で前記コアに最も近く、前記ドラムは回転の方向を有し、前記ドラムは、前記近地点から前記回転の方向と反対方向に偏った位置で前記シェルに最も近く、２つは１８０度離れている上記４に記載の装置。
９．  前記シェルは、前記コアから最も遠い遠地点で前記シェルに隣接するスカイブをさらに備え、
前記シェルは近地点で前記コアに最も近く、前記ドラムは回転の方向を有し、前記ドラムは、前記近地点から前記回転の方向と反対方向に偏った位置で前記シェルに最も近く、
前記近地点から前記計量スカイブに引かれる線は水平である上記４に記載の装置。
１０．  前記ドラムの相対する端に隣接する前記トナー／キャリアの混合物の流れを局所的に低減するウィングを両端に有する、前記磁気ブラシに隣接する計量スカイブをさらに備えた上記１に記載の装置。
１１．  静電画像を現像する装置であって、
光伝導体のドラムと、
前記光伝導体のドラムに接触する磁気ブラシであって、前記磁気ブラシはトナーと硬磁性キャリアの混合物を含み、さらに、前記磁気ブラシは、シェル内に回転可能な磁気コアを有する前記磁気ブラシと
を備えた装置。
１２．  静電画像を現像する装置であって、
光伝導体のドラムと、
前記光伝導体のドラムに接触する磁気ブラシであって、前記磁気ブラシはトナーと硬磁性キャリアの混合物を含み、さらに、前記磁気ブラシは、回転可能なシェル内に回転可能な磁気コアを有する前記磁気ブラシと
を備えた装置。
１３．  静電画像を現像する装置であって、
光伝導体のドラムと、
前記光伝導体のドラムに接触する磁気ブラシであって、前記磁気ブラシはトナーと硬磁性キャリアの混合物を含み、さらに、前記磁気ブラシは、回転可能なシェル内に磁気コアを備え、前記磁気コアは回転の方向に回転可能で、前記シェルは方向に回転可能である前記磁気ブラシと
を備えた装置。
１４．  前記ドラムは、前記シェルの前記回転の方向と反対である回転の方向を有する上記１３に記載の装置。
１５．  前記ドラムは、前記磁気コアの前記回転の方向と同じ方向である回転の方向を有する上記１３に記載の装置。
１６．  前記ドラムは、前記シェルの前記回転の方向と反対の回転の方向を有し、
前記ドラムは、前記磁気コアの前記回転の方向と同じ方向の回転の方向を有する上記１３に記載の装置。
１７．  静電画像を現像する方法であって、
トナーと硬磁性キャリアの混合物を磁気ブラシで光伝導体のドラムに付着させる前記方法。
１８．  前記硬磁性キャリアは、１０００ガウスが加えられた場に置かれると、少なくとも３００ガウスの保磁力を有し、少なくとも２０ＥＭＵ／ｇｍの誘導された磁気モーメントを示す上記１７に記載の方法。
１９．  さらに、前記磁気ブラシと前記ドラムの位置を合わせる上記１７に記載の方法。
２０．  さらに、前記ドラムの相対する端に隣接する前記トナー／キャリアの混合物の流れを局所的に低減するウィングを両端に有する、前記磁気ブラシに隣接するスカイブで、前記トナーと硬磁性キャリアの混合物を計量する上記１７に記載の方法。
２１．  静電画像を現像する方法であって、
回転の中心を有するシェル内に磁気コアを備える磁気ブラシで、トナーと硬磁性キャリアの混合物を光伝導体のドラムに付着させ、前記磁気コアは、前記回転の中心に対して前記ドラムに向かって偏っている前記方法。
２２．  さらに、前記シェルが前記コアから最も遠い遠地点で前記シェルに隣接するスカイブで、前記トナー／キャリアの混合物を計量する上記２１に記載の方法。
２３．  前記ドラムは回転の方向を有し、さらに、前記シェルが前記コアに最も近い近地点から、前記回転の方向と反対方向に偏った位置で、前記トナー／キャリアの混合物を前記ドラムに付着させる上記２１に記載の方法。
２４．  さらに、前記シェルが前記コアから最も遠い遠地点で前記シェルに隣接するスカイブで、前記トナー／キャリアの混合物を計量し、
前記ドラムは回転の方向を有し、さらに、前記シェルが前記コアに最も近い近地点から前記回転の方向と反対方向に偏った位置で、前記ドラムに前記トナー／キャリアの混合物を付着させる上記２１に記載の方法。
２５．  さらに、前記シェルが前記コアから最も遠い遠地点で前記シェルに隣接したスカイブで前記トナー／キャリアの混合物を計量し、
前記ドラムは回転の方向を有し、さらに、前記シェルが前記コアに最も近い近地点から前記回転の方向と反対方向で偏った位置で、前記ドラムに前記トナー／キャリアの混合物を付着させ、
前記スカイブと前記近地点は１８０度離れている上記２１に記載の方法。
２６．  さらに、前記シェルが前記コアから最も遠い遠地点で前記シェルに隣接したスカイブで、前記トナー／キャリアの混合物を計量し、
前記ドラムは回転の方向を有し、さらに、前記シェルが前記コアに最も近い近地点から前記回転の方向と反対方向で偏った位置で、前記ドラムに前記トナー／キャリアの混合物を付着させ、
前記近地点から前記計量スカイブに引かれる線は水平である上記２１に記載の方法。
２７．  静電画像を現像する方法であって、
磁気ブラシを光伝導体のドラムに作用させ、前記磁気ブラシは、質量流量を伴うトナーと硬磁性キャリアの混合物を備え、
前記混合物の前記質量流量を、ロールバックが発生する制限質量流量未満に限定する前記方法。
２８．  さらに、前記磁気ブラシはシェルを備え、さらに、前記シェルに隣接し前記質量流量を制御するスカイブを備え、さらに、既定の質量流量を達成するために前記スカイブと前記シェルの間の距離を調節する上記２７に記載の方法。
２９．  さらに、実験の観察と測定によって前記質量流量に与えられる効果を決定する上記２７に記載の方法。